(57)【要約】【課題】シンプルな構成でワークを把持する最先端のリンクの振動を解消もしくは低減することのできる搬送用ロボットアームを提供する。【解決手段】関節１Ａ〜１Ｄを介して繋がれた複数のリンク２Ａ〜２Ｄと、複数のリンクのうち、最先端のリンク２Ｄに設けられた把持部と、複数のリンク２Ａ〜２Ｄのうち、最先端のリンク２Ｄに設けられた把持部６と、複数のリンク２Ａ〜２Ｄの動作および把持部６の動作を制御する制御部と、を備えた搬送用ロボットアーム１０において、最先端のリンク２Ｄには、最先端のリンク２Ｄの固有振動数と異なる固有振動数を有する負荷質量体７と、負荷質量体７を移動自在に固定する弾性体８と、からなる振動減衰部材５が取り付けられている。【選択図】図１
2018140464.tif 000002
【特許請求の範囲】
【請求項１】
関節を介して繋がれた複数のリンクと、
前記複数のリンクのうち、最先端のリンクに設けられた把持部と、
前記複数のリンクの動作および前記把持部の動作を制御する制御部と、を備えた搬送用ロボットアームにおいて、
前記最先端のリンクには、該最先端のリンクの固有振動数と異なる固有振動数を有する負荷質量体と、該負荷質量体を移動自在に固定する弾性体と、からなる振動減衰部材が取り付けられている搬送用ロボットアーム。
【発明の詳細な説明】
【技術分野】
【０００１】
本発明は、ワークをクランプもしくは吸着等して搬送する、搬送用ロボットアームに関するものである。
【背景技術】
【０００２】
ワークの搬送方法は、ロボットアームによる方法やベルトコンベア等による方法など多岐に亘るが、ワークを臨機に把持等して比較的近接したエリア内で搬送する方法としてはロボットアームによる方法が好適である。
【０００３】
ここで、特許文献１には、制御対象の振動を抑制しながらモータを滑らかに動作させることを可能にしたモータ制御装置が開示されている。
【０００４】
このモータ制御装置は、指令次数に関する変数ｋを調整することで振動を抑制できる時間関数を指令として用い、計算しやすいようにｋを整数にし、移動時間ｔｂとｋから振動抑制可能な共振周波数ωｓを求め、制御部と制御対象を合わせた全システムを２次遅れ系で近似した際の固有振動角周波数と減衰係数を分子の係数とした指令フィルタ演算を行った信号を新たな指令として制御部へ入力するようにしている。このことにより、制御演算部が外乱オブザーバを持っていない場合や慣性モーメントノミナル値に誤差があった場合、あるいは制御対象の振動が減衰を持つ場合や、制御系によって制御対象の極が大きく変化した場合でも、モータを滑らかに動作させつつ負荷の振動を抑制でき、指令のパラメータを演算する時間を少なくできるとしている。
【先行技術文献】
【特許文献】
【０００５】
【特許文献１】特開２０１０−２０７０１１号公報
【発明の概要】
【発明が解決しようとする課題】
【０００６】
特許文献１に記載のモータ制御装置を適用したロボットアームをワークの搬送手段として適用した場合、振動を制御したい把持機構部に検出器を取り付ける必要があり、さらには、制御演算をおこなう制御演算部を設ける必要があることから装置製造コストが高価になるといった課題がある。
【０００７】
また、検出器と制御演算部間で信号を送受信するためのハーネスを設ける必要があることから、ロボットハンドの動作をハーネスを破断させない動作に規制する必要があり、動作自由度の極めて低い搬送手段となってしまう。
【０００８】
本発明は上記する問題に鑑みてなされたものであり、シンプルな構成でワークを把持する最先端のリンクの振動を解消もしくは低減することのできる搬送用ロボットアームを提供することを目的とする。
【課題を解決するための手段】
【０００９】
前記目的を達成すべく、本発明による搬送用ロボットアームは、関節を介して繋がれた複数のリンクと、前記複数のリンクのうち、最先端のリンクに設けられた把持部と、前記複数のリンクの動作および前記把持部の動作を制御する制御部と、を備えた搬送用ロボットアームにおいて、前記最先端のリンクには、該最先端のリンクの固有振動数と異なる固有振動数を有する負荷質量体と、該負荷質量体を移動自在に固定する弾性体と、からなる振動減衰部材が取り付けられているものである。
【００１０】
本発明の搬送用ロボットアームは、複数のリンクを備えたロボットアームの最先端のリンクにおいて、この最先端のリンクの固有振動数と異なる固有振動数を有する負荷質量体と当該負荷質量体を移動自在に固定する弾性体とからなる振動減衰部材を備えている点に特徴を有するものである。
【００１１】
振動減衰部材の具体的な構成は特に限定されるものではないが、把持対象のワークの重量に耐えうる剛性を備えた最小限の重量を有するものが好ましく、たとえば縦材と横材が組み合わされたフレーム架構から構成することで、フレーム架構内には自動的に複数の抜き孔が形成されて軽量化が実現できる。
【００１２】
たとえば、搬送用ロボットアームの足元に位置する最下端の関節が工場内の床面に回転自在に固定される。そして、たとえば上記するフレーム架構が関節を介して隣接するリンクに回転自在に固定され、フレーム架構の任意箇所（たとえば先端）に把持部が設けられる。
【００１３】
ここで、把持部には、クランプ機構や吸着機構など、ワークを把持する適宜の機構が適用される。
【００１４】
そして、たとえば上記フレーム架構において、負荷質量体が弾性体を介して取り付けられる。
【００１５】
ここで、負荷質量体の固有振動数は最先端のリンク（たとえば上記フレーム架構）の固有振動数と異なるようにその質量およびバネ定数（最先端のリンクに負荷質量体を接続する弾性材のバネ定数）が規定されており、最先端のリンクと異なる固有振動数の負荷質量体が所定の方向に振動することで最先端のリンクの振動を効果的に低減することができる。
【００１６】
すなわち、本発明の搬送用ロボットアームでは、ワークを把持する最先端のリンクの振動低減に際し、特許文献１に記載の装置に必須の検出器は不要であり、かつ高精度で複雑な制御演算も不要であり、最先端のリンクと異なる固有振動数の負荷質量体の動きによって当該最先端のリンクの振動を低減するものである。
【００１７】
ここで、弾性体には、バネの他、バネとダンパーのユニットが含まれる。たとえば、最先端のリンクが搬送用ロボットアームの足元関節が固定される床面に対して水平姿勢を保持する形態において、弾性体が、水平方向のバネおよびダンパーと、これに直交する鉛直方向のバネおよびダンパーから構成され、これら二方向の弾性体を介して負荷質量体が二方向に往復運動可能な形態が適用できる。この形態では、負荷質量体の水平方向および鉛直方向の往復運動により、最先端のリンクの水平方向および鉛直方向の振動を効果的に低減しながらワークを把持するとともに、把持されたワークを所定の搬送位置まで搬送することが可能になる。
【００１８】
なお、本発明の搬送用ロボットアームでは、各関節の水平軸周りの回転や鉛直軸周りの回転等に起因する各アームの駆動や、把持部がワークを把持したり把持解除する際の把持部の駆動のみを制御部が制御するものであり、したがって、最先端のリンクの振動低減に際して制御部による制御はおこなわれない。
【発明の効果】
【００１９】
以上の説明から理解できるように、本発明の搬送用ロボットアームによれば、複数のリンクを備えたロボットアームの最先端のリンクにおいて、この最先端のリンクの固有振動数と異なる固有振動数を有する負荷質量体と当該負荷質量体を移動自在に固定する弾性体とからなる振動減衰部材を備えていることにより、シンプルな構成でワークを把持する最先端のリンクの振動を解消もしくは低減することが可能になる。
【図面の簡単な説明】
【００２０】
【図１】本発明の搬送用ロボットアームの実施の形態を説明した模式図である。
【図２】図１のII部の拡大図であって最先端のリンクを拡大した図である。
【図３】（ａ）は振動減衰部材がない場合の垂直方向の加速度の時刻歴波形を示した図であり、（ｂ）は本発明の搬送用ロボットアームによる垂直方向の加速度の時刻歴波形を示した図である。
【発明を実施するための形態】
【００２１】
以下、図面を参照して本発明の搬送用ロボットアームの実施の形態を説明する。なお、図示する搬送用ロボットアームは、四つの関節と三つのリンクから構成されているが、関節数やリンク数は図示例に何ら限定されるものではない。さらに、関節の動作態様についても図示例の動作態様に何ら限定されるものではない。
【００２２】
（搬送用ロボットアームの実施の形態）
図１は本発明の搬送用ロボットアームの実施の形態を説明した模式図であり、図２は図１のII部の拡大図であって最先端のリンクを拡大した図である。
【００２３】
図示する搬送用ロボットアーム１０は、工場の床面Ｆに回転自在（Ｘ１方向）に固定される足元関節１Ａを含む他の関節１Ｂ，１Ｃ，１Ｄと、各関節にて繋がれる四つのリンク２Ａ，２Ｂ，２Ｃ，２Ｄと、不図示の制御部と、から大略構成されており、足元関節１Ａによる回転駆動に加えて、関節１Ｂによる回転駆動（Ｘ２方向）、関節１Ｃによる回転駆動（Ｘ３方向）および関節１Ｄによる回転駆動（Ｘ４方向）により、各リンク２Ａ，２Ｂ，２Ｃ，２Ｄの三次元的な動作が制御されている。
【００２４】
四つのリンクのうち、最先端のリンク２Ｄは、相互に平行な二条の縦材３と、これら二条の縦材３を繋ぐ複数の横材４から構成されたフレーム架構から形成されており、したがって複数の抜き孔が自動的に開設されることでその軽量化が図られている。
【００２５】
最先端のリンク２Ｄは、縦材３と横材４から構成されたフレーム架構の一端に関節１Ｄが取り付けられ、他端に把持部６が取り付けられている。
【００２６】
把持部６は横材４に平行な方向にスライドする（Ｙ方向）一組のクランプ６ａから構成され、一組のクランプ６ａが相互に近接することで不図示のワークを把持し、ワーク搬送場所では一組のクランプ６ａが相互に離間することで不図示のワークの把持解除をおこなう。
【００２７】
なお、各関節１Ａ〜１Ｄの回転駆動や把持部６によるワークの把持および把持解除は、不図示の制御部にて実行制御される。
【００２８】
最先端のリンク２Ｄにはさらに、振動減衰部材５が取り付けられている。具体的には、図２で示すように、平板状で所定重量を有する負荷質量体７と弾性体８とから振動減衰部材５が構成されており、弾性体８は、フレーム架構を構成する縦材３に負荷質量体７を繋ぐ、鉛直方向バネ８ａと水平方向バネ８ｃ、さらに、鉛直方向ダンパー８ｂと水平方向ダンパー８ｄから構成されている。
【００２９】
ここで、負荷質量体７の質量と鉛直方向バネ８ａ、水平方向バネ８ｃで決定される固有振動数（より具体的には、負荷質量体７の質量と鉛直方向バネ８ａのバネ定数で鉛直方向の固有振動数が決定され、負荷質量体７の質量と水平方向バネ８ｃのバネ定数で水平方向の固有振動数が決定される）は、最先端のリンク２Ｄの質量およびそのバネ定数（剛性から換算）にて決定される固有振動数と異なるように双方の固有振動数が設定されている。
【００３０】
このように、最先端のリンク２Ｄと異なる固有振動数の負荷質量体７が所定の方向に振動することで、最先端のリンク２Ｄの振動を効果的に低減することができる。
【００３１】
たとえば、最先端のリンク２Ｄが搬送用ロボットアーム１０の足元関節１Ａが固定される床面Ｆに対して水平姿勢を保持するように移動制御される場合において、図示する二方向の負荷質量体７の動きを規制する弾性体８の作用により、弾性体８を介して負荷質量体７が二方向に往復運動可能となる。このような負荷質量体７の水平方向および鉛直方向の往復運動により、最先端のリンク２Ｄの水平方向および鉛直方向の振動を効果的に低減しながらワークの把持が実行されるとともに、把持されたワークを所定の搬送位置まで搬送することが可能になる。
【００３２】
たとえば、負荷質量体７は最先端のリンク２Ｄの質量の5〜20%程度の質量を有し、垂直方向バネ８ａや水平方向バネ８ｃは負荷質量体７の振動停止時に負荷質量体７が初期位置に戻ることができる復元力を発揮できるバネ定数を有しており、鉛直方向ダンパー８ｂと水平方向ダンパー８ｄは過減衰となるようなダンパー係数を有しているのが望ましい。
【００３３】
図示する搬送用ロボットアーム１０では、ワークを把持する最先端のリンク２Ｄの振動低減に際し、検出器の設置等が不要であり、かつ高精度で複雑な制御演算も不要であり、最先端のリンク２Ｄと異なる固有振動数の負荷質量体７の動きによって当該最先端のリンク２Ｄの振動を効果的に低減することができ、もって、安価なロボットアーム製作コストにて高精度かつ安定したワークの把持および搬送を実現できる。
【００３４】
（最先端のリンクの振動低減性能を検証した実験とその結果）
本発明者等は、本発明の搬送用ロボットアームによる最先端のリンクの振動低減性能を検証する実験をおこなった。本実験では、図１，２で示す搬送用ロボットアーム（実施例）を試作するとともに、比較例として搬送用ロボットアームから振動減衰部材を排除し、双方のロボットアームを使用した際の最先端のリンクの鉛直方向の振動を加速度計で計測した。ここで、図３（ａ）は比較例の加速度の時刻歴波形を示した図であり、図３（ｂ）は実施例の加速度の時刻歴波形を示した図である。
【００３５】
比較例と実施例の各加速度の時刻歴波形を比較すると明らかなように、比較例に比して実施例の加速度は各時刻にて大きく低減しており、最大加速度を示す時刻以外では加速度はゼロに限りなく近くなっている。
【００３６】
また、最大加速度を比較すると、比較例の最大加速度18m/s2に対して実施例の最大加速度は9m/s2と、およそ半分の加速度低減効果が得られることが実証されている。
【００３７】
本実験結果より、最先端のリンクと負荷質量体の固有振動数を異ならせ、振動位相をずらして最先端のリンクの振動を打ち消すことにより、最先端のリンクの効果的な振動低減が実現されることが実証されている。
【００３８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００３９】
１Ａ…足元関節（関節）、１Ｂ，１Ｃ，１Ｄ…関節、２Ａ，２Ｂ，２Ｃ…リンク、２Ｄ…最先端のリンク（リンク）、３…縦材、４…横材、５…振動減衰部材、６…把持部、６ａ…クランプ、７…負荷質量体、８…弾性体、１０…搬送用ロボットアーム
【図１】
2018140464.tif 000003
【図２】
2018140464.tif 000004
【図３】
2018140464.tif 000005